(57)【要約】【課題】一度フレーム同期が外れ、再びフレーム同期が取れた後、極力、画質劣化を抑えた画像を速やかに表示させる無線画像伝送方式を実現する。【解決手段】無線回線を介して画像信号を伝送する無線画像伝送方式において、フレーム同期が外れている間は、フレーム同期が確立している期間と比べて画像圧縮の量子化ステップ・サイズを大きくしたＩ−ＶＯＰまたはＰ−ＶＯＰを送り続けさせる命令、周期的イントラ・リフレッシュの周期を短くさせる命令、ＶＯＰに対してＶＯＬを挿入する割合を上げる命令のうち少なくとも１命令を、画像符号器側に送るように構成する。【選択図】　　　図１
2004064588.tif 000002
【特許請求の範囲】
【請求項１】
画像信号を無線回線を介して伝送する無線画像伝送方式において、
フレーム同期が外れている期間は、フレーム同期が確立している期間と比べ画像圧縮の量子化ステップ・サイズを大きくした、イントラ符号化されたビデオ・オブジェクト・プレーン若しくは前方予測符号化されたビデオ・オブジェクト・プレーンを送り続けさせる命令、
周期的イントラ・リフレッシュの周期を短くさせる命令、
ビデオ・オブジェクト・プレーンに対してビデオ・オブジェクト・レイヤーを挿入する割合を上げる命令のうち、少なくとも１の命令を画像符号器に送るようにしたことを特徴とする無線画像伝送方式。
【発明の詳細な説明】
【０００１】
【発明の属する技術分野】
本発明は、無線画像伝送方式に関するものである。
【０００２】
【従来の技術】
近年、通信のディジタル化が急速に進展し、動画像データをディジタル化し、インターネットや、携帯電話回線を介して通信を行う動画像伝送が盛んに開発されている。国際標準化機構（ＩＳＯ：Ｉｎｔｅｒｎａｔｉｏｎａｌ　Ｏｒｇａｎｉｚａｔｉｏｎ　ｏｆ　Ｓｔａｎｄａｒｄ）が勧告しているＭＰＥＧ−４（Ｍｏｖｉｎｇ　Ｐｉｃｔｕｒｅ　Ｅｘｐｅｒｔｓ　Ｇｒｏｕｐ　ｖ．４）規格は、画像伝送速度が限られている（６４ｋｂｐｓ以下）携帯電話などの無線回線でも、伝送可能な動画像符号化方式であり、様々な動画像データの情報量を圧縮する技術（情報源符号化）が用いられる。ハフマン符号などの可変長符号化（ＶＬＣ：Ｖａｒｉａｂｌｅ　Ｌｅｎｇｔｈ　Ｃｏｄｉｎｇ）もその技術の一つであり、離散コサイン符号化（ＤＣＴ：Ｄｉｓｃｒｅｔｅ　Ｃｏｓｉｎｅ　Ｔｒａｎｓｆｏｒｍ）、動き予測符号化などにより、画像符号化を行った後、さらに冗長性を除去するためにＶＬＣが用いられている。以上述べた画像符号化方式に関する公知例としては、特開平１１−０６９３６２号“動画像の符号化方法および復号化方法”が知られている。
【０００３】
このような動画像データを無線伝送する場合を図２を用いて説明する。図において、１はカメラ、２は画像符号器、３はフレーム処理回路、４と５は無線機、６はフレーム同期回路、７は画像復号器、８はモニタである。カメラ１から得られた動画像データを画像符号器２に入力し、画像符号化（ディジタル化）する。画像符号化された動画像データはフレーム処理回路３でフレーム処理されてから、無線機４で無線伝送される。無線機５は受信したデータをフレーム同期回路６に入力する。フレーム同期回路６は、フレーム同期を取った後、本来の動画像データのみを画像復号器７に入力する。画像復号器７は動画像データを復号し、モニタ８に再生した動画像データを送る。
【０００４】
【発明が解決しようとする課題】
上述した従来の無線画像伝送方式では、一度フレーム同期が外れると、再びフレーム同期が取れ、尚且つ周期的イントラ・リフレッシュが１フレーム分終わるまで、再生画像には画質劣化が残り続けるという問題が生じる。特に、３２ｋｂｐｓ以下の低ビットレートで伝送する場合、フレームレートが低く、周期的イントラ・リフレッシュが１フレーム分終わるまでに時間がかかるので、再生画像の画質劣化は中々更新されない。
【０００５】
本発明の目的は、一度フレーム同期が外れ、再びフレーム同期が取れた後、極力、画質劣化を抑えた画像を速やかに表示させる無線画像伝送方式を提供することにある。
【０００６】
【課題を解決するための手段】
本発明は、上記の目的を達成するために、フレーム同期が外れている期間は、フレーム同期が確立している期間に比べて画像圧縮の量子化ステップ・サイズを大きくした、Ｉ−ＶＯＰ（イントラ符号化されたビデオ・オブジェクト・プレーン）若しくはＰ−ＶＯＰ（前方予測符号化されたビデオ・オブジェクト・プレーン）を送り続けさせる命令、周期的イントラ・リフレッシュの周期を短くさせる命令、ＶＯＰ（ビデオ・オブジェクト・プレーン）に対してＶＯＬ（ビデオ・オブジェクト・レイヤー）を挿入する割合を上げる命令を挿入する割合を上げる命令のうち少なくとも１の命令を、画像符号器側に送るようにしたものである。
【０００７】
【発明の実施の形態】
以下、図面を用いて本発明の一実施例を説明する。図１は本発明による画像伝送方式の一実施例を示す図である。図１において、１はカメラ、２は画像符号器、３はフレーム処理回路、４と５は無線機、６はフレーム同期回路、７は画像復号器、８はモニタである。
【０００８】
画像符号化された動画像データは、フレーム処理回路３でフレーム処理されてから、無線機４で無線伝送される。無線機５は受信したデータをフレーム同期回路６に入力する。フレーム同期回路６は、フレーム同期を取った後、本来の動画像データのみを画像復号器７に入力する。画像復号器７は動画像データを復号し、モニタ８に再生した動画像データを送る。
【０００９】
ここで、フレーム同期が外れている間は、フレーム同期回路６から画像符号器側に対して制御命令９を送る。制御命令９は無線機５で無線伝送されて、画像符号器側では、無線機４が出力する制御命令１０となる。この制御命令１０によって、画像符号器２は、画像圧縮のパラメータを変える。
【００１０】
制御命令９が、フレーム同期が取れている時よりも、画像圧縮の量子化ステップ・サイズを大きくしたＩ−ＶＯＰを送り続けさせる場合、再びフレーム同期が取れると、画質は粗いものの画質劣化の無い画像がモニタ８に表示される。この場合Ｉ−ＶＯＰを送っているためフレームレートは下がる。しかし制御命令を送らない場合は、画像符号器２はＰ−ＶＯＰを送り続けるため、周期的イントラ・リフレッシュが１フレーム分終わるまで、画質劣化した画像が残り続ける。このため画質を粗くしたＩ−ＶＯＰを送る方が、画質劣化の無い画像が早く表示される。
【００１１】
また制御命令９が、フレーム同期が取れている時よりも、画像圧縮の量子化ステップ・サイズを大きくしたＰ−ＶＯＰを送り続けさせる場合、再びフレーム同期が取れると、画質を粗くした分フレームレートが上がっているため、画質劣化の無い画像が早くモニタ８に表示される。
【００１２】
また制御命令９が、フレーム同期が取れている時よりも、周期的イントラ・リフレッシュの周期を短くさせる場合、再びフレーム同期が取れると、周期的イントラ・リフレッシュの周期が短くなっているため、画質劣化の無い画像が早くモニタ８に表示される（この場合、周期的イントラ・リフレッシュの周期が短くなっているのでフレームレートは下がる）。
【００１３】
また画像復号器７は動画像データの内、ＶＯＰ何枚かに一枚の割合で挿入されているＶＯＬを見つけて同期を取っている。制御命令９が、フレーム同期が取れている期間よりも、このＶＯＰに対してＶＯＬを挿入する割合を上げる場合、再びフレーム同期が取れると、モニタに画像が出てくるまでの時間は短くなる。つまり周期的イントラ・リフレッシュが１フレーム分終わるまでの時間は短くなる。
【００１４】
【発明の効果】
以上述べたように、本発明による無線画像伝送方式を用いれば、一度フレーム同期が外れ、フレーム同期が取れた後、極力画質劣化を抑えた画像を速やかに表示させることができる。
【図面の簡単な説明】
【図１】本発明の一実施例の構成を示す図である。
【図２】従来の無線画像伝送システムの構成例を示す図である。
【符号の説明】
１：カメラ、２：画像符号器、３：フレーム処理回路、４，５：無線機、
６：フレーム同期回路、７：画像復号器、８：モニタ、
９，１０：制御命令、
【図１】
2004064588.tif 000003
【図２】
2004064588.tif 000004